(57)【特許請求の範囲】
【請求項１】
電線の絶縁表面に粉体離型剤を塗布する装置において、該粉体を入れる容器を備え、容器に入った粉体中を電線が通過するように構成し、粉体離型剤を攪拌するための攪拌羽根と、上下動可能で且つ走行する電線に平行な棒状物からなる該粉体のブリッジ防止機構を備え、更に余分な粉体離型剤を取り除く機構を備えたことを特徴とする粉体離型剤塗布装置。
【請求項２】
余分な粉体離型剤を取り除く機構が３点式ローラーによることを特徴とする請求項１記載粉体離型剤塗布装置。
【請求項３】
余分な粉体離型剤を取り除く機構ががエアー式除粉機によることを特徴とする請求項１記載粉体離型剤塗布装置。
【発明の詳細な説明】
【０００１】
【発明の属する技術分野】
本発明は、撚合わせコアー等の電線（ケーブル）上への外被の押出等電線の押出に必要な粉体離型剤塗布装置のような付帯装置及び粉体離型剤の塗布方法に関するものである。
より詳細には、本発明は、電線等の製造工程において、電線と外被層とのブリッジ（くっつき）を防止して剥離し易くするために、マイカ粉、タルク粉等の粉体離型剤を、走行する電線に付着させるための塗布方法及びその塗布装置に関する。
【０００２】
【従来の技術】
従来、電線と外被層とのブリッジ（くっつき）を防止して剥離し易くするために、電線上に粉体離型剤を塗布する装置に関しては図２に示される様な装置、即ち粉体離型剤を収納した容器Ａ内に、前後に振動するエアシリンダ３に懸架した複数個の攪拌羽根２設け、該攪拌羽根２内を通過する電線に粉体離型剤を付着させる装置、粉体離型剤に静電気をかけて電線に付着させる装置、粉体離型剤の空洞化を防止のためにスクリューを用いる方法などが知られている。
【０００３】
【発明が解決しようとする課題】
従来、この種の装置は図２に代表されるように、電線が粉体離型剤内を通過する時に該粉体離型剤によっては空洞化する問題があった。また、粉体離型剤の電線上への付着量を変化させることができず、更に電線と外被層との接着力をコントロールできない問題があった。
また、静電気による粉体離型剤の付着では、帯電し難い粉体離型剤は電線に付着し難く、またスクリュー方式による空洞化防止も粉体離型剤の形状・種類によっては空洞化をおこしてしまう問題があった。
【０００４】
【課題を解決するための手段】
本発明者は上記課題を種々検討した結果、粉体離型剤塗布装置に粉体離型剤を攪拌するための攪拌羽根と、上下動可能で且つ走行する電線に平行な棒状物からなる該粉体のブリッジ防止機構を備え、更に余分な粉体離型剤を取り除く機構を備えたことにより、電線の通過による粉体離型剤の空洞化を防止でき、且つ電線への粉体離型剤の付着量を所定値内に制御できることを見出し、本発明を完成するに至った。
すなわち、本発明は：
（１）電線の絶縁表面に粉体離型剤を塗布する装置において、該粉体を入れる容器を備え、容器に入った粉体中を電線が通過するように構成し、粉体離型剤を攪拌するための攪拌羽根と、上下動可能で且つ走行する電線に平行な棒状物からなる該粉体のブリッジ防止機構を備え、更に余分な粉体離型剤を取り除く機構を備えた粉体離型剤塗布装置を提供する。また、
（２）余分な粉体離型剤を取り除く機構が３点式ローラーによる点にも特徴を有する。また、
（３）余分な粉体離型剤を取り除く機構ががエアー式除粉機による点にも特徴を有する。
【０００６】
以下、図面に基いて本発明を詳細に説明する。
図１は、本発明の１つの実施態様を示す粉体離型剤塗布装置の概略を説明する模式図である。
図１において、１はバイブレーター、２は攪拌羽根、３はエアシリンダ、４は金属棒、５は３点式ローラ、６はエアー式除粉機、７は撚合わせコアー等の電線である。
例えば、図１に示すように、二本以上の撚合わせコアーを有するケーブル７に絶縁プラスチック樹脂からなる外被層を押出する工程において、上方が開放され粉体離型剤が収納された容器Ａ内に、(イ)   該粉体離型剤を分散状態を保持させるバイブレーター１を備える。
【０００７】
(ロ)  撚合わせコアー７の進行方向に設けた粉体離型剤を攪拌するための攪拌羽根２を固定し又は前後・左右に揺動させる。
(ハ)  一定間隔で上下運動し又は／及び撚合わせコアーの通過速度の変化に対応するために上下作動の間隔を可変とするエアシリンダ３とその先端部に設けた棒状物（金属棒）４により、撚合わせコアー７の走行路上を一定間隔で該金属棒で打解して該コアーに付着して運び去られた粉末のあとをその付近の粉体離型剤で補充して撚合わせコアー７上の粉体離型剤の空洞化発生を防止すると共に、撚合わせコアーと外被との接着力をコントロールして撚合わせコアーに粉体離型剤が十分に付着させる。
【０００８】
(ニ)  該撚合わせコアー７の走行路であって、好ましくは粉体離型剤塗布装置Ａ外に３点式ローラ５（５1 、５2 、５3 ）を設けて、該ロール間を通過する間に該複数個の撚合わせコアーの谷間部分への余分な粉体離型剤を取り除いて下方に落下させる。
(ホ)  該撚合わせコアー７の走行路であって、好ましくは粉体離型剤塗布装置Ａ外にエアー式除粉機６を固定して設け、風圧をコントロールすることにより粉体離型剤が撚合わせコアー表面に付着する量を調節できる。
上記 (ハ)〜 (ホ)の粉体離型剤のブリッジ防止機構は、それら単独の使用でもまたそれらを組合せて使用しても良い。
【０００９】
上記 (ハ)の上下する棒状物４は、走行する電線に平行してエアシリンダに固定して設ければよく、またその材質は金属のような硬質のものが好ましい。
(ニ)の３点式ローラとしては、撚合わせコアーの谷間部分への余分な粉体離型剤を取り除いて下方に落下させることができればローラの数については特に制限されないが、３個のローラを図示されるような配置でまとめることが望ましい。
(ホ)のエアー式除粉機６としては、所定の風圧でブローして撚合わせコアー表面に付着する量を調整できれば特にその構造は制限されないが、例えばテーパーの構造のものが望ましい。
【００１０】
【作用】
本発明者の種々の検討の結果、従来の粉体離型剤塗布装置においては、粉体離型剤中を撚合わせコアーが通過する際に、如何なる粉体離型剤でも空洞化（トンネル化）までの期間に差があるものの必ず発生することが明らかとなった。
また、撚合わせコアーの従来の粉体離型剤塗布装置内への通過速度にも左右され、高速になるほど短時間で空洞化が発生することも判った。
【００１１】
更に、撚合わせコアーへの粉体離型剤の付着量は、粉体の粒径、形状などにより或る程度コントロールできるが、実用上、ケーブルの押出し毎に交換するのは現実的でない対応であることも判った。
そこで、本発明は、粉体離型剤のブリッジの防止法としてエアシリンダを利用して撚合わせコアーの直上まで金属棒を一定間隔で上下させ、又は／及び撚合わせコアーの通過速度の変化に対応するために上下作動間隔を可変とすることが一層有効である。
また、本発明の粉体離型剤塗布装置により撚合わせコアーに粉体離型剤を十分に付着させるためには、更に、その後工程に又は／及び３点式ローラを設けて撚合わせコアーの谷間部分への余分な粉体離型剤を取り除き、又は／及びエアー式除粉機の風圧で余分な粉体離型剤を取り除くことが肝要である。
【００１２】
【実施例】
本発明を以下の実施例により具体的に説明するが、これは本発明の範囲を制限しない。
図１に示す本発明の粉体離型剤塗布装置を用い、材質ポリエチレン製の２．０ｍｍφの径の２個撚合わせコアーを該装置中に通過させる間に、所定の操作を行ってタルク粉、マイカ粉の粉体離型剤を該コアー上に一定量付着させた後に、該コアーの材質と同様の材質の外被を０．５ｍｍの厚さで押出して、該撚合わせコアーに被覆したケーブルを得た。
そこで、撚合わせコアーと外被との接着力を撚合わせコアーを３５ｍｍ引き抜く時の引抜力で評価し、且つトンネル発生等のブリッジ発生は、発生までの時間で評価した。
その結果を表１に示す。
【００１３】
【表１】
0003744037.tif 000002
（注）トンネル発生までの時間：粉体離型剤がブリッジをおこし、電線（撚合わせコアー）の通過する部分がトンネル状となり、粉体離型剤と電線とが触れなくなってしまう現象をいう。
【００１４】
上記表１によると、粉体離型剤としてタルク粉、マイカ粉を用いた場合、引抜力が低く且つブリッジ発生までの時間も極めて短くて、本発明の粉体離型剤塗布装置は有効であることが確認された。
【００１５】
【発明の効果】
以上述べたように、撚合わせコアーのような電線上に外被を押出するケーブルについて、撚合わせコアーと外被との接着力を粉体離型剤を使用して任意の値にコントロールすることが従来の粉体離型剤塗布装置では不可能であったが、本発明による粉体離型剤塗布装置を使用することで可能となった。
また、粉体離型剤の塗布中に電線の通過で粉体離型剤が空洞化（ブリッジ化）を起こす問題があったが、本発明の粉体離型剤塗布装置では、長時間空洞化を防止でき、安定した生産が可能となった。
本発明による粉体離型剤塗布装置はケーブルの加工方法、加工長が異なる場合に必要となる適切な電線と外被との接着力をコントロールしたい時に利用すると効果的である。
【図面の簡単な説明】
【図１】本発明の１つの実施態様である粉体離型剤塗布装置の構造を示す模式図である。
【図２】従来の粉体離型剤塗布装置の構造を示す模式図である。
【符号の説明】
１  バイブレーター
２  攪拌羽根
３  エアシリンダ
４  金属棒
５  ３点式ローラ
６  エアー式除粉機
７  電線（撚合わせコアー）
【図１】
0003744037.tif 000003
【図２】
0003744037.tif 000004